(57)【要約】【課題】振動を低減して筐体の高さを低く小型化し、良好な乾燥性能を実現する。【解決手段】水槽２に設けた給気口１４および排気口１５と連通接続した風路１６と、蒸発器２１と凝縮器１９を風路１６内に配設するとともに筐体１内から前面１ｂ側へ取り出し可能に構成したヒートポンプ装置１７と、風路を通して水槽内に乾燥用空気を送風する送風機２４とを備え、ヒートポンプ装置１７を筐体１内の下部に配設するとともに、乾燥用空気がヒートポンプ装置１７を前後方向に流れるように蒸発器２１および凝縮器１９を筐体１の側壁１ｃに近接配置し、送風機２４をヒートポンプ装置の後方に設け、前方へ延びるダクト１６ｂを介してヒートポンプ装置１７と連通接続するとともに、送風機２４の上部２４ｃを水槽２後部の下端部２ａより上方に位置するように構成したものである。【選択図】図１
2013153839.tif 000002
【特許請求の範囲】
【請求項１】
筐体内に弾性支持した水槽と、前記水槽内に回転可能に設けたドラムと、前記ドラムを回転駆動するモータと、前記水槽に設けた給気口および排気口と連通接続した風路と、冷媒が循環するように圧縮機と管路で連結した蒸発器および凝縮器を有し、前記蒸発器と前記凝縮器を前記風路内に配設するとともに、前記筐体内から取り出し可能に構成したヒートポンプ装置と、前記風路を通して前記水槽内に乾燥用空気を送風する送風機とを備え、前記ヒートポンプ装置を前記筐体内の下部に配設するとともに、乾燥用空気が前記ヒートポンプ装置を前後方向に流れるように前記蒸発器および前記凝縮器を前記筐体の側壁寄りに配置し、前記送風機を前記ヒートポンプ装置の後方に設け、前方へ延びるダクトを介して前記ヒートポンプ装置と連通接続するとともに、前記送風機の上部を前記水槽後部の下端部より上方に位置するように構成したドラム式洗濯乾燥機。
【請求項２】
水槽の後部を傾斜させて設け、前記水槽後部の下端部が上端部より前方に位置するように構成した請求項１記載のドラム式洗濯乾燥機。
【請求項３】
ヒートポンプ装置の圧縮機を蒸発器の前方に設けた請求項１または２記載のドラム式洗濯乾燥機。
【請求項４】
ヒートポンプ装置とダクトを水槽後部の下端部より前方で接続し、前記ダクトの断面形状を横長の扁平に形成した請求項１〜３のいずれか１項に記載のドラム式洗濯乾燥機。
【請求項５】
筐体の底部に台枠を設け、前記台枠の前部にヒートポンプ装置を設置した請求項１〜４のいずれか１項に記載のドラム式洗濯乾燥機。
【請求項６】
筐体の底部に台枠を設け、前記台枠の前部にヒートポンプ装置の圧縮機を設置し、前記台枠の後部に送風機を設置した請求項１〜５のいずれか１項に記載のドラム式洗濯乾燥機。
【請求項７】
筐体の前面下方にヒートポンプ装置を取り出す開口部と、前記開口部を覆う取外し可能なカバーを設け、前記カバーの装着時に、前記ヒートポンプ装置とダクトを接続状態に保持する保持部を設けた請求項１〜６のいずれか１項に記載のドラム式洗濯乾燥機。
【請求項８】
ヒートポンプ装置は、排気ダクトとの接続側が高くなるように、前方高位に設置した請求項１〜７のいずれか１項に記載のドラム式洗濯乾燥機。
【請求項９】
ヒートポンプ装置は、蒸発器の下方に除湿水を排出する排水ポンプを設け、台枠で囲まれた空間内に前記排水ポンプを収容するようにした請求項１〜８のいずれか１項に記載のドラム式洗濯乾燥機。
【発明の詳細な説明】
【技術分野】
【０００１】
本発明は、衣類等の洗濯と乾燥が行えるドラム式洗濯乾燥機に関するものである。
【背景技術】
【０００２】
従来、この種のドラム式洗濯乾燥機は、乾燥装置をヒートポンプで構成したものが考えられており、ヒートポンプ装置のメンテナンスをおこなう際は、筐体内から後方へ取り出すことができるようにしている（例えば、特許文献１参照）。
【０００３】
しかしながら、ヒートポンプ装置を後方へ取り出すためには、壁に近接して置かれている筐体を設置場所から移動させる必要があり、作業が行い難いという問題があった。そこで、筐体を設置場所から移動させる不便を解消するために、ヒートポンプ装置を前方へ取り出せるようにしたものが考えられている（例えば、特許文献２参照）。
【０００４】
図８は、特許文献２に記載された従来の洗濯乾燥機の構成を示す一部切欠要部断面図である。図８において、本体５１内に設けた水槽５２の下方に、ヒートポンプユニット５３と送風ファン５４を前後方向に設けている。ヒートポンプユニット５３は、本体５１内から前方へ取り出すことができるように、本体５１の前面側に蒸発器５５を設け、その後方に凝縮器５６を設けている。送風ファン５４は凝縮器５６の後方に設置され、ヒートポンプユニット５３と送風ファン５４を、水槽５２の下端部５７より下方に設置している。
【０００５】
送風ファン５４により送風される乾燥用空気は、水槽５２の後方に設けた給気ダクト５８を上方へ流れて水槽５２内へ供給され、水槽５２内の衣類から水分を奪って湿った乾燥用空気は、水槽５２の前方に設けた排気ダクト５９を下方へ流れてヒートポンプユニット５３に供給される。蒸発器５５で冷却除湿された低温の乾いた乾燥用空気は、凝縮器５６で加熱されて乾いた温風となり、再び水槽５２内へ供給されて水槽５２とヒートポンプユニット５３を循環し、衣類を乾燥させるようにしたものである。
【先行技術文献】
【特許文献】
【０００６】
【特許文献１】特開２００７−１３５９６０号公報
【特許文献２】特開２００９−２７９０５９号公報
【発明の概要】
【発明が解決しようとする課題】
【０００７】
しかしながら、前記従来の構成では、ヒートポンプユニットと送風機が、水槽後部の下端部より下方に設置されているため、水槽の位置が高くなるという問題がある。脱水工程が実行されるドラム式洗濯乾燥機では、ドラム内の衣類に偏りが発生すると、ダンパーで下方から弾性支持されている水槽がドラムの高速回転で振れ回り現象が生じることから、水槽とその下方に設置されているヒートポンプユニットとの間に所定の空間を確保することが必要である。そのため、水槽の位置がさらに高くなり、振動が大きくなるという問題があった。
【０００８】
そこで、このような問題を解決すべく振動を低減するために、水槽の位置を低く設定して筐体の高さを低く小型化すると、ヒートポンプユニットと送風機の高さが低く抑えられることになり、ヒートポンプユニットでの熱交換効率と、送風機の送風性能を維持することが難しく、水槽の位置を低くして振動を低減し筐体の高さを低く小型化することと、良好な乾燥性能を実現することを、同時に解決することが課題であった。
【０００９】
本発明は、前記従来の課題を解決するもので、振動を低減し筐体の高さを低くして小型化するとともに、良好な乾燥性能を実現したドラム式洗濯乾燥機を提供することを目的とする。
【課題を解決するための手段】
【００１０】
前記従来の課題を解決するために、本発明のドラム式洗濯乾燥機は、水槽に設けた給気口および排気口と連通接続した風路と、冷媒が循環するように圧縮機と管路で連結した蒸発器および凝縮器を有し、前記蒸発器と前記凝縮器を前記風路内に配設するとともに、筐体内から取り出し可能に構成したヒートポンプ装置と、前記風路を通して前記水槽内に乾燥用空気を送風する送風機とを備え、前記ヒートポンプ装置を前記筐体内の下部に配設するとともに、乾燥用空気が前記ヒートポンプ装置を前後方向に流れるように前記蒸発器および前記凝縮器を前記筐体の側壁寄りに配置し、前記送風機を前記ヒートポンプ装置の後方に設け、前方へ延びるダクトを介して前記ヒートポンプ装置と連通接続するとともに、前記送風機の上部を前記水槽後部の下端部より上方に位置するように構成したものである。
【００１１】
これによって、ヒートポンプ装置と送風機を筐体内にコンパクトに構成し、水槽の位置を低くして脱水時の振動を抑制し、筐体の高さを低くして小型化することができるとともに、ヒートポンプ装置での熱交換の効率化と送風機による大風量により、良好な乾燥性能を実現することができる。
【発明の効果】
【００１２】
本発明のドラム式洗濯乾燥機は、振動を低減し筐体の高さを低くして小型化することができるとともに、良好な乾燥性能を実現することができる。
【図面の簡単な説明】
【００１３】
【図１】本発明の実施の形態１のドラム式洗濯乾燥機の側方から見た要部断面図
【図２】同ドラム式洗濯乾燥機の前方から見た要部断面図
【図３】同ドラム式洗濯乾燥機の後方から見た要部断面図
【図４】同ドラム式洗濯乾燥機の上方から見た要部断面図
【図５】同ドラム式洗濯乾燥機の側方から見た一部切欠要部断面図
【図６】同ドラム式洗濯乾燥機のヒートポンプ装置のシステム概略図
【図７】（ａ）〜（ｃ）同洗濯乾燥機のヒートポンプ装置の取外し時の作用図
【図８】従来の洗濯乾燥機の一部切欠要部断面図
【発明を実施するための形態】
【００１４】
第１の発明は、筐体内に弾性支持した水槽と、前記水槽内に回転可能に設けたドラムと、前記ドラムを回転駆動するモータと、前記水槽に設けた給気口および排気口と連通接続した風路と、冷媒が循環するように圧縮機と管路で連結した蒸発器および凝縮器を有し、前記蒸発器と前記凝縮器を前記風路内に配設するとともに、前記筐体内から取り出し可能に構成したヒートポンプ装置と、前記風路を通して前記水槽内に乾燥用空気を送風する送風機とを備え、前記ヒートポンプ装置を前記筐体内の下部に配設するとともに、乾燥用空気が前記ヒートポンプ装置を前後方向に流れるように前記蒸発器および前記凝縮器を前記筐体の側壁寄りに配置し、前記送風機を前記ヒートポンプ装置の後方に設け、前方へ延びるダクトを介して前記ヒートポンプ装置と連通接続するとともに、前記送風機の上部を前記水槽後部の下端部より上方に位置するように構成したことにより、ヒートポンプ装置と送風機を筐体内にコンパクトに構成し、水槽の位置を低くして脱水時の振動を抑制し、筐体の高さを低くして小型化することができるとともに、ヒートポンプ装置での熱交換効率と、送風機による大風量により乾燥性能を向上することができ、衣類等の高効率乾燥を実現することができる。そして、ヒートポンプ装置を取り外す際は、筐体の前面から取り外し可能な構成とすれば、筐体を設置場所から移動させることなく、筐体の前面から取り外すことができ、メンテナンス作業を容易に行うことができる。
【００１５】
第２の発明は、特に、第１の発明において、水槽の後部を傾斜させて設け、前記水槽後部の下端部が上端部より前方に位置するように構成したことにより、筐体後面と水槽後部との間に送風機を設置するスペースを確保することができ、筐体の奥行きを浅くして薄型化し、限られたスペースへの設置性をよくすることができる。
【００１６】
第３の発明は、特に、第１または第２の発明において、ヒートポンプ装置の圧縮機を蒸発器の前方に設けたことにより、ヒートポンプ装置を筐体の壁際に寄せて水槽の位置を低くすることができ、筐体高さの小型化を促進することができる。
【００１７】
第４の発明は、特に、第１〜第３のいずれか１つの発明において、ヒートポンプ装置とダクトを水槽後部の下端部より前方で接続し、前記ダクトの断面形状を横長の扁平に形成したことにより、ヒートポンプ装置をダクトに対して脱着する際の作業を容易に行うことができるとともに、水槽の位置を低くして風路断面積を大きくすることができ、送風量を確保することができる。
【００１８】
第５の発明は、特に、第１〜第４のいずれか１つの発明において、筐体の底部に台枠を設け、前記台枠の前部にヒートポンプ装置を設置したことにより、台枠の前部を下方へ切欠くことなく、ヒートポンプ装置を前方から出し入れすることができ、台枠の強度を弱めることなく、堅牢性を確保することができる。
【００１９】
第６の発明は、特に、第１〜第５のいずれか１つの発明において、筐体の底部に台枠を設け、前記台枠の前部にヒートポンプ装置の圧縮機を設置し、前記台枠の後部に送風機を設置したことにより、乾燥運転時に圧縮機と送風機が駆動し、台枠にかかる前後方向の重量バランスを確保することができる。
【００２０】
第７の発明は、特に、第１〜第６のいずれか１つの発明において、筐体の前面下方にヒートポンプ装置を取り出す開口部と、前記開口部を覆う取外し可能なカバーを設け、前記カバーの装着時に、前記ヒートポンプ装置とダクトを接続状態に保持する保持部を設けたことにより、脱水時の振動によるヒートポンプ装置の変位を抑えることができる。
【００２１】
第８の発明は、特に、第１〜第７のいずれか１つの発明のヒートポンプ装置は、排気ダクトとの接続側が高くなるように、前方高位に設置したことにより、排気口からヒートポンプ装置までの距離を短くすることができる。
【００２２】
第９の発明は、特に、第１〜第８のいずれか１つの発明のヒートポンプ装置は、蒸発器の下方に除湿水を排出する排水ポンプを設け、台枠で囲まれた空間内に前記排水ポンプを収容するようにしたことにより、排水ポンプをヒートポンプ装置の下方にコンパクトに収容することができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態におけるドラム式洗濯乾燥機の側方から見た要部断面図、図２は、同前方から見た要部断面図、図３は、同後方から見た要部断面図、図４は、同上方から見た要部断面図、図５は、同側方から見た一部切欠要部断面図、図６は、同ドラム式洗濯乾燥機のヒートポンプ装置のシステム概略図、図７（ａ）〜（ｃ）は、同ヒートポンプ装置の取外し時の作用図である。
【００２５】
図１〜図７において、ドラム式洗濯乾燥機の外郭を形成する筐体１内に洗濯水を貯める略円筒形状の水槽２を設けている。水槽２内には、前後方向に延びる回転軸３を中心に回転自在に設けられた有底円筒状のドラム４を設けている。水槽２は、左右一対のダンパー５により下方から弾性支持されるとともに、左右一対のばね６によって上方から吊下げ、水槽２の前面に設けた開口７側が上位となるように、回転軸３を前上がりに傾斜させている。
【００２６】
水槽２の後部外面には、回転軸３を回転支持する軸受８とプーリー９を設け、水槽２の外周下部に固着したモータ１０の駆動力を、ベルト１１を介してドラム４に伝達し回転させる。モータ１０は、その回転軸１０ａがドラム４の回転軸３と平行に水槽２の後部寄りに取り付けてあり、図２に示すように、前方から見てドラム４の回転軸３を通る鉛直線イの左側に位置し、水槽２の外周斜め下方に設けて筐体１の後面１ａ側の内部の下方に配設している。
【００２７】
ドラム４の周側面に多数の透孔１２が設けてあり、この透孔１２を通して水槽２内と連通している。また、ドラム４の周側面に内方へ突出するバッフル１３を複数設けている。水槽２の後面に乾燥用空気を導入する給気口１４を設け、水槽２の上方前部に乾燥用空気を排出する排気口１５を設けている。給気口１４および排気口１５に乾燥用空気が流れる風路１６を連通接続している。
【００２８】
ヒートポンプ装置１７は、圧縮機１８と、この圧縮機１８で圧縮された冷媒の熱を放熱し乾燥用空気を加熱する凝縮器１９と、高圧の冷媒の圧力を減圧するための絞り弁や毛細管等からなる絞り手段２０と、減圧されて低圧となった冷媒が周囲から熱を奪い乾燥用空気を冷却する蒸発器２１とを冷媒が循環するように管路２２で連結されており、冷媒は図６の矢印Ａの方向に流れて循環し、ヒートポンプサイクルを実現する。風路１６内には、ヒートポンプ装置１７の蒸発器２１および凝縮器１９を配設している。
【００２９】
ヒートポンプ装置１７の圧縮機１８と管路２２で連結された凝縮器１９と絞り手段２０および蒸発器２１は、風路１６の一部を形成するケース２３内に格納されている。ケース２３には、上方から乾燥用空気が流入する流入口２３ａと、蒸発器２１および凝縮器１９を通過した乾燥用空気が後方へ流出する流出口２３ｂを設けている。
【００３０】
流入口２３ａは、風路１６を構成する排気ダクト１６ａと連通接続し、排気口１５と繋がっている。また、流出口２３ｂは、風路１６を構成するダクト１６ｂを介して送風機２４と着脱自在に連通接続している。ダクト１６ｂは、後端部を送風機２４の吸気側に固着し、前端部はケース２３の流出口２３ｂに固着具（図示せず）により取外し可能に連結している。
【００３１】
ヒートポンプ装置１７は、図２および図４に示すように、筐体１の前面１ｂである前方から見てドラム４の回転軸３を通る鉛直線イの右側に位置し、乾燥用空気がヒートポンプ装置１７を後方へ前後方向に流れるように、蒸発器２１および凝縮器１９を筐体１の右壁１ｃに近接して配置し、ドラム４の回転軸３を通る鉛直線イの左側に位置するモータ１０と、筐体１の側壁である右壁１ｃ側と左壁１ｄ側とに互いに隔てて配設している。
【００３２】
送風機２４は、筐体１の右壁（側壁）１ｃ側に位置するヒートポンプ装置１７側に配設するとともに、ヒートポンプ装置１７の後方で、かつ、送風ファン２４ａの回転軸２４ｂ方向をヒートポンプ装置１７に向けて設置し、送風ファン２４ａの直径方向の上部２４ｃが水槽２の下端部２ａより上方（Ｈ）に位置するように構成している。
【００３３】
送風機２４は、風路１６を構成する給気ダクト１６ｃと連通接続し、給気口１４と繋がっている。水槽２の後面でプーリー９の外周縁に沿って円弧状に形成した給気ダクト１６ｃを通して給気口１４から水槽２内に乾燥用空気を送風する。
【００３４】
ヒートポンプ装置１７は、ダクト１６ｂを介して送風機２４と着脱自在に連通接続し、筐体１内に設置したヒートポンプ装置１７を筐体１の前面１ｂから取り出し可能に構成している。ヒートポンプ装置１７とダクト１６ｂは、水槽２後部の下端部２ａより前方で接続し、ダクト１６ｂの断面形状を横長の扁平に形成しており、水槽２の位置を低くして風路断面積が確保できるようにしている。
【００３５】
ヒートポンプ装置１７は、略水平に設置しているが、乾燥用空気の流入口２３ａ側、すなわち、排気ダクト１６ａとの接続側が高くなるように、前方高位に設置してもよい。この場合、排気口１５からヒートポンプ装置１７までの距離を短くすることが可能である。なお、圧縮機１８は、略鉛直に立設することにより、安定して動作させることができる。
【００３６】
排気口１５から排気ダクト１６ａに流れる乾燥用空気に含まれる糸屑等のリントを捕集する乾燥フィルタ２５を設けている。乾燥フィルタ２５は、筐体１内の上部に着脱自在に配設され、筐体１の上面１ｅ側へ取り出し可能に設けている。
【００３７】
水槽２内の洗濯水は、底部に設けた排水口２６に連通接続した排水路２７を経て機外へ排出される。排水路２７の途中には、洗濯水から異物を回収する排水フィルタ２８を設けている。排水フィルタ２８は、モータ１０の前方に位置し、筐体１内の前部に着脱自在に設けて前面１ｂ側へ取り出し可能に設けている。
【００３８】
水槽２の開口７を開閉する扉２９を筐体１の前面１ｂに設け、扉２９の下方にヒートポンプ装置１７を取り出す開口部１ｆを設けている。開口部１ｆは、取外し可能なカバー３０により前面側から覆われ、ねじ３１で着脱自在に取着している。カバー３０を筐体１の前面１ｂに設けた開口部１ｆに装着することにより、ヒートポンプ装置１７に対向して突出させた保持部３２でヒートポンプ装置１７のケース２３の前面を後方へ押圧し、ダクト１６ｂに挿入して接続された状態に保持することができる。
【００３９】
ヒートポンプ装置１７のケース２３の底部には、蒸発器２１で結露した除湿水を排出する排水ポンプ３３を設けている。排水ポンプ３３に排水路２７と繋がった排水管３４を連通接続し、排水管３４を通して排水路２７から機外へ排出される。
【００４０】
筐体１の底部に台枠３５を設けている。台枠３５は、四角形に形成し、筐体１の前面１ｂと、後面１ａ、右壁１ｃ、左壁１ｄの四面の下部を固着し支持している。台枠３５は、水槽２を下方から弾性支持するダンパー５の下端を固着している。また、ヒートポンプ装置１７を台枠３５の前部３５ａ上に設置し、ヒートポンプ装置１７の下方に設けた排水ポンプ３３を、台枠３５で囲まれた空間３５ｂ内にコンパクトに収容している。
【００４１】
また、ヒートポンプ装置１７の圧縮機１８を蒸発器２１の前方、すなわち、乾燥用空気が流入する流入口２３ａ側に設け、圧縮機１８を台枠３５の前部３５ａ上で筐体１の右壁１ｃに近接して設置している。そして、台枠３５の後部３５ｃ上に送風機２４を設置し、圧縮機１８と送風機２４を台枠３５の前後に配設して重量バランスを確保している。
【００４２】
水槽２は、ドラム４の回転軸３と同軸で有底筒状に形成し、前上がりに傾斜している。水槽２の後部は、下端部２ａが上端部２ｂより前方に位置するように傾斜し、筐体１の後面１ａと水槽２の後部との間に送風機２４を設置するスペースを確保している。
【００４３】
制御手段３６は、ヒートポンプ装置１７の圧縮機１８、ドラム４を回転駆動するモータ１０、乾燥用空気を送風する送風機２４等を制御し、洗濯、すすぎ、脱水、乾燥の各工程を逐次制御する。
【００４４】
以上のように構成されたドラム式洗濯乾燥機について、以下その動作、作用を説明する。まず、洗い工程の手順を示す。最初に扉２９を開放し、開口７からドラム４内に衣類等の洗濯物を投入した後、扉２９を閉じ、操作ボタン（図示せず）を押して所望の運転プログラムを選択して運転を開始させる。
【００４５】
制御手段３６は、扉２９が閉じられていることを確認した後、モータ１０を駆動させ、回転にともなう負荷情報から、投入された衣類の量を判定する。その後、給水弁（図示せず）を開放して水槽２に水を貯め始める。衣類の量に応じてあらかじめ設定された水量が給水されると給水を停止し、モータ１０を正転、反転を繰り返すなど、所定のプログラムにしたがってドラム４を回転させる。
【００４６】
ドラム４内の衣類ロは、バッフル１３によって回転方向へ持ち上げられて、ドラム４内の上方から落下し、叩き洗いの作用で汚れを落とし、所定の時間が経過すると洗い工程を終了する。
【００４７】
洗い工程に続いて、次に、すすぎ工程を実行する。すすぎ工程では、排水、給水、モータ１０駆動というすすぎ作業を行う。水槽２に水を貯めた状態でモータ１０を駆動させ、衣類ロに付着している洗剤成分や汚れ成分を、汚れていない水の中へと移動させて汚れを落とす、すすぎを実行し、所定の時間が経過すると１回のすすぎ作業を終了し、これを２回繰り返した後、水槽２内の水を排出してすすぎ工程を終了する。
【００４８】
すすぎ工程に続いて、次に、脱水工程を実行する。脱水工程では、モータ１０を駆動させてドラム４を高速回転（例えば１４００ｒｐｍ）させる。このとき、回転数の増加にともなって、衣類ロに付加される遠心力が強まっていくため、衣類はドラム４の内周面に張り付いていく。衣類に含まれる水分は、遠心力によってドラム４の透孔１２から水槽２内へ移動し、脱水された水分は、排水路２７を経て機外へ排出される。
【００４９】
脱水時にドラム４内の衣類に偏りが発生すると、ダンパー５で下方から弾性支持されている水槽２がドラム４の高速回転で振れ回り現象が生じることがある。ヒートポンプ装置１７は筐体１の側壁である右壁１ｃに近接して配置しているので、水槽２と離間することができる。また、送風機２４をヒートポンプ装置１７の後方に設け、送風機２４の上部２４ｃを水槽２後部の下端部２ａより上方に位置しているので、大型ファンの送風機２４を搭載することができる。
【００５０】
次に、乾燥工程について説明する。洗い、すすぎ、脱水の各工程に続けて、乾燥工程を実行することができる。乾燥運転を開始すると、モータ１０が回転し、ドラム４および送風機２４が回転して乾燥用空気の流れ（矢印Ｂ）が生じる。乾燥用空気は、ドラム４内の衣類ロから水分を奪って多湿となった後、排気口１５から乾燥フィルタ２５を通過し、排気ダクト１６ａを通ってヒートポンプ装置１７の蒸発器２１へ導かれる。ドラム４は、モータ１０によりベルト１１を介して回転駆動され、衣類ロはドラム４内で撹拌される。
【００５１】
ヒートポンプ装置１７の圧縮機１８を作動させると、冷媒が圧縮され、この圧力により凝縮器１９、絞り手段２０、蒸発器２１を循環する。凝縮器１９では高圧状態で冷媒の熱が放出され、蒸発器２１では、絞り手段２０で減圧されて低圧状態となり冷媒へ熱が吸収される。このとき送風機２４によって風路１６を流れる乾燥用空気を凝縮器１９の放熱によって加熱する。
【００５２】
送風機２４により、給気ダクト１６ｃを通り、給気口１４からドラム４内に送風された温風は、衣類ロの間を通るときに水分を奪って多湿となった後、排気口１５から乾燥フィルタ２５を通過してリント等の異物が除去され、排気ダクト１６ａを通ってヒートポンプ装置１７の蒸発器２１へ導かれる。この多湿の乾燥用空気は、蒸発器２１を通過する際に顕熱と潜熱が奪われて除湿され、乾いた空気と除湿水に分離される。
【００５３】
この乾いた空気は、凝縮器１９で加熱され、温風となって送風機２４により再びドラム４内へ送風される。一方、蒸発器２１で結露した除湿水は、排水ポンプ３３により排水管３４から排水路２７を通して機外へ排出する。
【００５４】
衣類ロから水分を奪って排気口１５から排気される湿った空気は、水槽２の前方に位置し、筐体１の右壁１ｃに沿って水槽２の上方から下方に向かって延びる排気ダクト１６ａを通り、筐体１内の前面１ｂ近傍に位置する流入口２３ａからケース２３内に流入する。
【００５５】
ケース２３内に流入した乾燥用空気は、筐体１内の前面１ｂ側から後面１ａ側に向かって流れ、蒸発器２１および凝縮器１９を通過する。筐体１内の後面１ａ近傍に設けた送風機２４に到達した乾燥用空気は、水槽２の後方を上方へ延びる給気ダクト１６ｃを通り、給気口１４から水槽２内に導入される。
【００５６】
すなわち、排気口１５から排気された乾燥用空気は、水槽２の下方に設けたヒートポンプ装置１７を後方へ流れて、筐体１内の右壁１ｃ側で送風機２４に到達する。送風機２４は、ヒートポンプ装置１７の後方に設け、送風機２４から前方へ延びるダクト１６ｂを介してヒートポンプ装置１７と連通接続し、送風機２４の上部２４ｃを水槽２後部の下端部２ａより上方に位置するように構成している。
【００５７】
これにより、ヒートポンプ装置１７と送風機２４を筐体１内の下部にコンパクトに構成し、水槽２の位置を低くして脱水時の振動を抑制し、筐体１の高さを低くして小型化することができる。
【００５８】
また、ドラム４を回転駆動するモータ１０は、筐体１内の左壁１ｄ側で水槽２の下部に位置している。したがって、ドラム４の回転軸３を通る鉛直線イの左側にモータ１０を配設し、ヒートポンプ装置１７を鉛直線イの右側に隔てて配設することにより、水槽２の位置を筐体１内で下方へ下げることができ、水槽２の重心位置を低くすることができる。
【００５９】
したがって、ドラム４を高速回転させて脱水運転を実行するドラム式洗濯乾燥機において、ドラム４内で洗濯物に偏りが生じた場合に発生する大きな振動を低減することができるとともに、水槽２の位置を下方へ下げることで、筐体１の高さを低くすることができ、小型化が可能になる。
【００６０】
また、ヒートポンプ装置１７の圧縮機１８を蒸発器２１の前方に設け、圧縮機１８を台枠３５の前部３５ａ上に設置している。そして、台枠３５の後部３５ｃ上に送風機２４を設置し、圧縮機１８と送風機２４を台枠３５の前後に配設して重量バランスを確保している。
【００６１】
また、重量の重いモータ１０とヒートポンプ装置１７の圧縮機１８の位置が、筐体１内の下部で対角位置となることで、重量バランスをよくすることができ、設置時と運転時の安定性を高めることができる。
【００６２】
また、送風機２４をヒートポンプ装置１７の後方に配設し、送風ファン２４ａの回転軸２４ｂ方向をヒートポンプ装置１７に向けて設置している。これにより、前上がりに傾斜した水槽２の後部と、筐体１の後面１ａとの間の下方に形成される空間に、送風ファン２４ａの直径方向の上部２４ｃが水槽２の下端部２ａより上方に位置することで、筐体１内の限られた空間に、大径の送風機２４をコンパクトに設置することができ、送風能力を高めることができる。
【００６３】
また、図７に示すように、ヒートポンプ装置１７は、筐体１の前面側から取り外すことができる。筐体１の前面１ｂにカバー３０が取り付けられている（ａ）の状態から、ねじ３１を外すと、（ｂ）のように、押圧部３２によるヒートポンプ装置１７のケース２３の押圧が解除される。
【００６４】
次に、（ｃ）のように、台枠３５上に設置されているケース２３の前面側を上方へ持ち上げた状態で、前方へ引き出すと、ダクト１６ｂに挿入されていたケース２３が離脱し、ダクト１６ｂは、送風機２４に保持された状態でヒートポンプ装置１７のケース２３を開口部１ｆから前方へ取り出すことができる。
【００６５】
ヒートポンプ装置１７を装着するときは、前記と逆の操作により、略水平状態で前方に向けて開口しているダクト１６ｂに、ケース２３の流出口２３ｂ側を挿入し、水槽２の下方で台枠３５上に設置し、排気ダクト１６ａを流入口２３ａに接続する。このとき、排水ポンプ３３は、台枠３５で囲まれた空間３５ｂ内に収容できるので、ヒートポンプ装置１７を低位に設置でき、排水ポンプ３３をヒートポンプ装置１７の下方にコンパクトに収容することができる。
【００６６】
これにより、筐体１を設置場所から移動させることなく、ヒートポンプ装置１７を取り出すことができ、狭い場所でのメンテナンス作業を容易に行うことができる。
【００６７】
以上のように、本実施の形態においては、筐体１内に弾性支持した水槽２と、水槽２内に回転可能に設けたドラム４と、ドラム４を回転駆動するモータ１０と、水槽２に設けた給気口１４および排気口１５と連通接続した風路１６と、冷媒が循環するように圧縮機１８と管路２２で連結した蒸発器２１および凝縮器１９を有し、蒸発器２１と凝縮器１９を風路１６内に配設するとともに、筐体１内から前面１ｂ側へ取り出し可能に構成したヒートポンプ装置１７と、風路１６を通して水槽２内に乾燥用空気を送風する送風機２４とを備え、ヒートポンプ装置１７を筐体１内の下部に配設するとともに、乾燥用空気がヒートポンプ装置１７を前後方向に流れるように蒸発器２１および凝縮器１９を筐体１の側壁１ｃに近接配置し、送風機２４をヒートポンプ装置１７の後方に設け、前方へ延びるダクト１６ｂを介してヒートポンプ装置１７と連通接続するとともに、送風機２４の上部２４ｃを水槽２後部の下端部２ａより上方に位置するように構成したものであり、ヒートポンプ装置１７と送風機２４を筐体１内にコンパクトに構成し、水槽２の位置を低くして脱水時の振動を抑制し、筐体１の高さを低くして小型化することができるとともに、ヒートポンプ装置１７での熱交換効率と、送風機２４による大風量により乾燥性能を向上することができ、衣類等の高効率乾燥を実現することができる。そして、ヒートポンプ装置１７を取り外す際は、筐体１を設置場所から移動させることなく、筐体１の前面１ｂから取り外すことができ、メンテナンス作業を容易に行うことができるものである。
【産業上の利用可能性】
【００６８】
以上のように、本発明にかかるドラム式洗濯乾燥機は、振動を低減し筐体の高さを低くして小型化することができるとともに、良好な乾燥性能を実現することができるので、ドラム式洗濯乾燥機として有用である。
【符号の説明】
【００６９】
１      筐体
１ｂ    前面
１ｃ    右壁（側壁）
２      水槽
２ａ    下端部
３      回転軸
４      ドラム
１０    モータ
１１    ベルト
１４    給気口
１５    排気口
１６    風路
１６ａ  排気ダクト（風路）
１６ｂ  ダクト（風路）
１６ｃ  給気ダクト（風路）
１７    ヒートポンプ装置
１８    圧縮機
１９    凝縮器
２１    蒸発器
２２    管路
２４    送風機
２４ｃ  上部
【図１】
2013153839.tif 000003
【図２】
2013153839.tif 000004
【図３】
2013153839.tif 000005
【図４】
2013153839.tif 000006
【図５】
2013153839.tif 000007
【図６】
2013153839.tif 000008
【図７】
2013153839.tif 000009
【図８】
2013153839.tif 000010